(57)【特許請求の範囲】
【請求項１】
開口部に固定されるガイド枠（５）と、ガイド枠（５）とドア（１）とを連結する牽制棒（６）と、ガイド枠（５）に設けたガイド穴（９）に沿って牽制棒（６）と共にスライド移動するスライドピン（７）と、スライドピン（７）に設けたロック軸部（１１）をドア開放位置においてロック固定するロック機構とを備えており、
ロック機構は、ガイド枠（５）に装着されてロック軸部（１１）を係合捕捉するロック体（１５）と、ロック軸部（１１）がロック体（１５）のロック穴（２２）に係合する向きに牽制棒（６）を移動付勢する第１ばね（１２）と、ロック体（１５）を係合位置へ向かって移動付勢する第２ばね（１９）とからなり、
ロック体（１５）は、ロック軸部（１１）を係合捕捉する係合位置と、ロック軸部（１１）のくぐり抜けを許す浮動位置とにわたって変位できる状態でガイド枠（５）に装着されており、
ドア（１）の開放動作に連動して、ロック軸部（１１）が第２ばね（１９）の付勢力に抗してロック体（１５）をくぐり抜けてロック穴（２２）と係合でき、牽制棒（６）を第１ばね（１２）に抗してロック体（１５）へ向かって接近操作することにより、ロック軸部（１１）がロック穴（２２）から離脱してロック解除できるドアの煽り止め。
【請求項２】
スライドピン（７）のスライド軸部（１０）の突端にロック軸部（１１）が設けられており、
第１ばね（１２）が、スライド軸部（１０）に外嵌する状態で、ガイド枠（５）と牽制棒（６）との間に配置されており、
ロック体（１５）には、ロック軸部（１１）を受け入れるロック穴（２２）とスライド軸部（１０）の出入りを許す導入溝（２３）とが設けられており、
ロック体（１５）は、ガイド穴（９）に挿通したボルト（１７）で締結固定されたボス（１６）に軸支されて係合位置と浮動位置とに変位でき、
ボス（１６）の下端にはカバー（１８）が固定されており、
ロック体（１５）とカバー（１８）との間に、第２ばね（１９）が配置してある請求項１記載のドアの煽り止め。  
【発明の詳細な説明】
【０００１】
【発明の属する技術分野】
この発明は、配電盤、分電盤などのキュービクル、あるいは通信中継設備などの電気機器収容設備のドアに適用される煽り止めに関する。
【０００２】
【従来の技術】
電気機器類を収容する目的で使用される配電盤等においては、内部機器の点検を定期的に行い、あるいは故障した機器の交換などを行うが、その頻度は極めて少ない。そのため、この種の設備に適用されるドアは鋼板で頑丈に形成され、単に揺動開閉できたり、施錠できるだけの極めて簡素な構造とすることが多い。ドア錠やドアヒンジなどの付属部品に対しても、頑丈で低コストであることのみが要求される。この発明の煽り止めに関して、特開平３−８９９０号公報の扉ストッパー装置が公知である。そこでは戸枠側に固定したガイド枠とドアとをステーで連結している。ガイド枠には長穴が設けてあり、ステーはドア開閉時に長穴に沿ってスライドできる。ドアが閉じ位置から９０度開いた状態において、ステーに同行するピンを板ばね製のストッパーで係合保持することも開示されている。
【０００３】
【発明が解決しようとする課題】
かかる従来のストッパー装置は、ドアが所定の開放角度を越えて過剰に開放されるのを規制できるが、ドアの閉じ動作を規制することはできない。そのため、ドアが風を受けて急激に閉じ揺動することがある。板ばね製のストッパーを付加するとドアを開放位置に位置保持できるが、ドアが突風を受けるような場合に、ストッパーとピンとの係合状態が解除されるおそれがあり、確実さと安全性に欠ける。例えば、住宅用や高層ビル用に用意された、ロック機構付きの窓用の煽り止めを使用すると、先のようにドアが突風を受けて急激に閉じ揺動することは防止できる。しかし、この種の煽り止めは構造が複雑でコストが高く付くうえ、いたずら防止のためにロック解除操作をわざと複雑化してあることが多いので、ロック機構のロック解除操作が面倒である。
【０００４】
この発明の目的は、電気機器収容設備のドアを開放位置において閉じ揺動不能に自動ロックでき、必要時にはワンタッチでロック解除操作できる電気機器収容設備のドアに好適な煽り止めを提供することにある。この発明の目的は、全体構造を簡素化して低コストで提供できるうえ、上下・左右のいずれの勝手違いにも対応できる、電気機器収容設備のドアに好適な煽り止めを提供することにある。
【０００５】
【課題を解決するための手段】
この発明の煽り止めは、図１および図２に示すごとく、開口部に固定されるガイド枠５と、ガイド枠５とドア１とを連結する牽制棒６と、ガイド枠５に設けたガイド穴９に沿って牽制棒６と共にスライド移動するスライドピン７と、スライドピン７に設けたロック軸部１１をドア開放位置においてロック固定するロック機構とを備えている。ロック機構は、図１および図４に示すごとくガイド枠５に装着されてロック軸部１１を係合捕捉するロック体１５と、ロック軸部１１をロック体１５のロック穴２２と係合する向きに牽制棒６を移動付勢する第１ばね１２と、ロック体１５を係合位置へ向かって移動付勢する第２ばね１９とからなる。ロック体１５は、ロック軸部１１を係合捕捉する係合位置と、ロック軸部１１のくぐり抜けを許す浮動位置とにわたって変位できる状態でガイド枠５に装着する。以て、ドア１の開放動作に連動して、ロック軸部１１が第２ばね１９の付勢力に抗してロック体１５をくぐり抜けてロック穴２２と係合でき、牽制棒６を第１ばね１２に抗してロック体１５へ向かって接近操作することにより、ロック軸部１１がロック穴２２から離脱してロック解除できるようにする。
【０００６】
スライドピン７のスライド軸部１０の突端には、ロック軸部１１を設ける。第１ばね１２は、スライド軸部１０に外嵌する状態で、ガイド枠５と牽制棒６との間に配置する。ロック体１５には、ロック軸部１１を受け入れるロック穴２２とスライド軸部１０の出入りを許す導入溝２３とを設ける。ロック体１５は、ガイド穴９に挿通したボルト１７で締結固定されたボス１６に軸支されて、係合位置と浮動位置とに変位できるようにする。ボス１６の下端にはカバー１８が固定されている。そして、ロック体１５とカバー１８との間には、第２ばね１９を配置することができる。
【０００９】
【発明の作用効果】
この発明では、ガイド枠５にロック機構を設けておき、ドア開放位置においてスライドピン７をロック機構で係合捕捉し、ドア１を閉じ揺動不能に自動ロックするので、開放状態のドア１を突風に逆らって確実に固定保持でき、従来のこの種のストッパー装置に比べて、確実さと安全性を向上し、メンテナンス部品の搬入や、交換機器の搬出などの作業を安全に行える。ロック機構は、ロック体１５と２種のばね１２・１９等で構成するが、住宅用や高層ビル用に用意された、ロック機構付きの窓用の煽り止めに比べて、煽り止めの構造を著しく簡素化できるので、その製作コストを減少でき、電気機器収容設備のドア１に適用するのに好適な安価な煽り止めが得られる。ドア１を閉じ操作するときは、例えば牽制棒６を第１ばね１２に抗して踏み込み操作するだけ、つまりワンタッチで簡単にロック解除できるので、より簡単な操作でドア１を開閉できる。ロック体１５のガイド枠５に対する装着位置を変更することによって、煽り止めを右用と左用とに仕様変更できるし、上下の勝手違いにも対応できるので、一種の煽り止めを用意しておくだけで、上下・左右の勝手違いに対応でき、その分煽り止めをより低コストで提供できる。ロック体１５のガイド枠５に対する固定位置を変更することにより、ドア１の全開角度を任意に変更できるので、周囲の建物との関係でドア１の開放角度を変更調整するなど、配電盤等の設置現場の状況に柔軟に対応できる。
【００１２】
【実施例】
（実施例１）
図１ないし図６は、この発明に係る煽り止めの実施例を示す。煽り止めは、例えば図２に示すような配電盤に適用されて、前面の開口部を開閉するドア１を開放位置において閉じ揺動不能に自動ロックして開放状態を維持し続ける。ドア１は上下一対のピボットヒンジ２で揺動開閉可能に支持されており、その内面下部と開口部との間に煽り止めが設けられている。符号３は錠である。
【００１３】
図３において煽り止めは、開口部に固定されるガイド枠５と、ガイド枠５とドア１とを連結する牽制棒６と、ロック機構などで構成する。牽制棒６は下向きに開口する断面コ字状のプレス金具からなり、その一端がスライドピン７を介してガイド枠５と連結され、他端が連結ピン８を介してドア１に連結してある。連結ピン８はドア内面に固定した座板に固定してある。
【００１４】
図４においてガイド枠５は、断面Ｌ字状の枠体からなり、その水平壁に左右横長のガイド穴９を通設し、垂直壁を開口部に固定する。スライドピン７は、その殆どを占めるスライド軸部１０と、その下端に設けたスライド軸部１０より大径のロック軸部１１とからなる。スライド軸部１０をガイド枠５の下面側からガイド穴９に挿通し、座金と圧縮コイル形の第１ばね１２とを軸部に外嵌した状態で、その上端を牽制棒６にかしめことにより、牽制棒６をガイド枠５に連結している。この連結状態において、牽制棒６は第１ばね１２で押し上げ付勢されており、図５に示すようにロック軸部１１はガイド穴９の下面側に接当している。ドア１の開放時には、牽制棒６がドア１に同行して屋外側へ引き出されるので、スライドピン７は図３においてガイド穴９を左端から右端へ向かってスライド移動する。
【００１５】
ロック機構は、ガイド枠５の右側下面に組み付けられるロック体１５と、ロック体１５を上下傾動可能に軸支するボス１６と、ボス１６を締結するボルト１７と、ロック体１５をガイド枠５に押し付け付勢する第２ばね１９と、ボス１６および第２ばね１９の下面を覆うカバー１８などで構成する。ロック体１５は、四角形状の板面にボス挿通用の穴２１を通設し、穴２１に隣接する板面にロック軸部１１を受け入れるロック穴２２とスライド軸部１０の出入りを許す導入溝２３とを切り欠き形成したプレス金具からなる。導入溝２３を前後にはさむ腕部の側端には、ロック軸部１１のくぐり抜けを容易化するガイド部２４が斜めに折り曲げてある。また、ロック穴２２の一側には、ガイド穴９と係合する爪２５が折り曲げ形成されている。ボス１６にはねじ穴１６ａが形成してあり、その上部周面にガイド穴９で回り止め保持される太鼓形の係合部１６ｂとフランジ部１６ｃとが形成してある。カバー１８は上向きに開口する角箱状に形成され、その一側にロック体１５の上下傾動を許す切欠２０が設けてある。
【００１６】
ロック機構は、ボルト１７以外の部品を組み付けてユニット部品化してある。詳しくは、図１に示すように、ボス１６をロック体１５の穴２１に上方から挿通し、その軸部に第２ばね１９を下方から外嵌したうえで、ボス１６の下端にカバー１８の底壁をかしめ固定してユニット部品化する。このようにユニット部品化したロック機構によれば、ガイド枠５に対する取り付け位置を変更する際に、ロック機構を１個の部品として取り扱うことができるので、作業を簡単にしかも迅速に行え、施工の手間を省くことができる。また、ボス１６の軸部や第２ばね１９の周りをカバー１８で覆って防塵作用を発揮し、あるいは第２ばね１９を保護できる。ユニット部品化したロック機構は、図１に示すようにボス１６の係合部１６ｂをガイド穴９に下方から係合し、そのねじ穴１６ａにボルト１７を座金を介してねじ込むことによってガイド枠５に固定される。この組み付け状態において、ロック体１５は第２ばね１９で押し上げ付勢されており、その板面がガイド枠５の下面と密着する係合位置と、図６（ａ）に示すように板面がガイド枠５から離れて傾動する浮動位置とに変位できる。この傾動を許すために、穴２１の直径寸法は、ボス１６の直径寸法よりかなり大きめに形成している。
【００１７】
ドア１を閉じた状態から開放操作すると、スライドピン７が牽制棒６に同行してガイド穴９に沿ってスライド移動する。ドア１が開放限界近くまで開放されると、図６（ａ）に示すようにスライドピン７のロック軸部１１がロック体１５の側端のガイド部２４に当たり、第２ばね１９の付勢力に抗してロック体１５を押し下げながら、その板面とガイド枠５との間をくぐる。さらにドア１を開放操作することにより、ロック軸部１１は爪２５に当たって、ガイド穴９に沿う方向への移動が阻止される。この状態では、ロック穴２２がロック軸部１１の真下に位置しているので、ロック体１５は第２ばね１９の付勢力を受けて係合位置へ復帰する。その結果、図１に示すようにロック軸部１１にロック穴２２が係合し、スライドピン７がスライド不能にロック保持される。従って、ドア１に突風が吹き付けるような場合にも、ドア１を開放状態に維持し続けることができる。なお、この実施例では、全開放状時のドア１の開き角度は、閉じ位置から１００度とした。
【００１８】
ドア１を閉じ操作するときは、ドア１を手で支えたまま、図６（ｂ）に示すように牽制棒６を下向きに踏み込んで、スライドピン７を下降させ、そのロック軸部１１をロック穴２２から下向きに離脱させる。この状態では、直径の小さなスライド軸部１０がロック穴２２内に位置するので、ドア１を閉じ方向へ操作すると、スライドピン７は導入溝２３に沿って移動しながらロック体１５から抜け出ることができ、以後は牽制棒６の押し下げ力を開放したままでも、支障なくドア１を閉じ操作できる。
【００１９】
この実施例の煽り止めは、右勝手に対応したものであるが、ロック体１５のガイド枠５に対する装着位置を右端から左端へ変更することによって、左勝手用の煽り止めとして仕様を変更でき、同様の仕様変更を行うことにより、ドア１の上部と開口部との間に煽り止めを配置する場合にも、支障なく適用できる。つまり、一種の煽り止めを用意しておくだけで、上下・左右の勝手違いに対応できる。
【００２０】
（参考例）
図７ないし図１０は、この発明に係る煽り止めの参考例を示す。そこでは、牽制棒６を帯板状に形成した点と、スライドピン７の牽制棒６への固定基端にロック軸部１１を設けた点と、ロック機構によるスライドピン７の捕捉構造が異なる点と、ロック解除操作をガイド枠５に設けたレバー３０で行う点とが、実施例１の煽り止めと大きく異なる。図８に示すように第１ばね１２はスライドピン７の下端の頭部７ａとガイド枠５の下面との間に配置して、ロック軸部１１がロック体１５と密着する向きに牽制棒６を移動付勢する。
【００２１】
ロック機構は、ガイド枠５の上面に固定したロック体１５と、先の第１ばね１２と、図７に示すようにロック体１５をガイド枠５に固定するボルト３１およびナット３２とからなる。ロック体１５は左右に長い帯板状のプレス金具からなり、その板面には、ガイド穴９と同幅のガイド溝３３を有し、ガイド溝３３の右端に連続してロック軸部１１を受け入れるロック穴２２が設けてある。ロック穴２２に隣接して、ボルト３１用の挿通穴３４と、ガイド穴９と係合する回り止め用の爪３５とが形成してある（図９参照）。
【００２２】
レバー３０は断面コ字状のプレス金具からなり、図９に示すように両側壁の中途部が軸３６を介して上下揺動可能に軸支してある。軸３６の両端は、ガイド枠５の縦壁に設けたブラケット３７で軸支してある。レバー３０は、図８において自重で時計回転方向へ回ろうとする傾向を生じるが、上壁の先端がスライドピン７の下端で受け止められるので、常態において上壁はほぼ水平の状態を維持しており、その先端は開口部の壁に設けた開口３８からドア１側へ突出している。上記以外の構造は、実施例１と同じであるので、同じ部材に同じ符号を付して、その説明を省略する。
【００２３】
ドア１を閉止した状態において、スライドピン７は図８に示すようにロック軸部１１がロック体１５の上面に当たっている。この状態からドア１を開放すると、スライドピン７が牽制棒６に同行してガイド穴９およびガイド溝３３に沿って右方へスライドする。ドア１を限界位置まで開放操作すると、ロック軸部１１がロック穴２２の真上に位置するので、第１ばね１２で下向きに付勢されているスライドピン７は下降移動し、図９および図１０（ａ）に示すようにロック軸部１１がロック穴２２内に嵌り込み、スライドピン７がスライド不能にロック保持される。従って、ドア１に突風が吹き付けるような場合にも、ドア１を開放状態に維持し続ける。
【００２４】
ドア１を閉じ操作するときは、ドア１を手で支えたまま、図１０（ｂ）に示すようにレバー３０を下向きに踏み込んで、スライドピン７を第１ばね１２に抗して押し上げ、そのロック軸部１１をロック穴２２から上向きに離脱させる。この状態では、直径の小さなスライド軸部１０がロック穴２２内に位置するので、ドア１を閉じ方向へ操作するとスライドピン７はガイド溝３３に沿って移動でき、ロック軸部１１がガイド溝３３の上面に乗りあがった時点で、レバー３０の押し下げ力を開放でき、以後は支障なくドア１を閉じ操作できる。
【００２５】
実施例１の煽り止めは、ロック体１５をガイド枠５の上面側に配置して使用することができる。ロック体１５はプラスチック成形品で形成することができる。ロック軸部１１はスライドピン７とは別の部品で形成でき、例えばスラストベアリングをスライドピンに装着してロック軸部１１とすることができる。
【図面の簡単な説明】
【図１】  ロック機構の縦断正面図である。
【図２】  配電盤の斜視図である。
【図３】  煽り止めの平面図である。
【図４】  煽り止めの分解斜視図である。
【図５】  煽り止めの側面図である。
【図６】  ロック機構の動作を示す断面図である。
【図７】  参考例に係る煽り止めの平面図である。
【図８】  参考例に係る煽り止めの側面図である。
【図９】  参考例に係るロック機構の動作を示す断面図である。
【図１０】  参考例に係るロック機構の動作を示す断面図である。
【符号の説明】
１  ドア
５  ガイド枠
６  牽制棒
７  スライドピン
９  ガイド穴
１０  スライド軸部
１１  ロック軸部
１２  第１ばね
１５  ロック体
１６  ボス
１７  ボルト
１９  第２ばね
２２  ロック穴
２３  導入溝
【図１】
0004739596.tif 000002
【図２】
0004739596.tif 000003
【図３】
0004739596.tif 000004
【図４】
0004739596.tif 000005
【図５】
0004739596.tif 000006
【図６】
0004739596.tif 000007
【図７】
0004739596.tif 000008
【図８】
0004739596.tif 000009
【図９】
0004739596.tif 000010
【図１０】
0004739596.tif 000011